(57)【要約】【課題】本発明は、フィルタケースの着脱操作がし易い洗濯乾燥機を提供することを目的とする。【解決手段】本発明は、乾燥空気に含まれるリントを捕集する乾燥フィルタ装置とを備える洗濯乾燥機において、乾燥フィルタ装置は、フィルタケース収納部を有する本体ケース枠と、フィルタケース収納部に脱着自在に装着されるフィルタケースを含み、フィルタケースは、回動自在に支持されたロックレバーを有し、フィルタケース収納部は、ロックレバーの回動によりロックレバーが係合離脱する係止部を有することを特徴とする。【選択図】図６
2008012119.tif 000002
【特許請求の範囲】
【請求項１】
洗濯水や濯ぎ水が溜まる外槽と、
洗濯物を収納し、前記外槽に回転自在に内置される内槽と、
前記外槽や前記内槽に流れ込み、前記内槽内の洗濯物を乾かして前記外槽から流出する乾燥用空気を流通させる乾燥用空気循環路と、
前記乾燥用空気循環路に設けられ、前記外槽から流れ出て来た乾燥用空気より水分を除湿する除湿手段と、
前記乾燥用空気循環路に設けられ、前記除湿手段で除湿した乾燥空気を加熱する加熱手段と、
前記乾燥用空気循環路に設けられ、前記乾燥空気に含まれるリントを捕集する乾燥フィルタ装置とを備える洗濯乾燥機において、
乾燥フィルタ装置は、フィルタケース収納部を有する本体ケース枠と、前記フィルタケース収納部に脱着自在に装着されるフィルタケースを含み、
前記フィルタケースは、回動自在に支持されたロックレバーを有し、
前記フィルタケース収納部は、前記ロックレバーの回動によりロックレバーが係合離脱する係止部を有することを特徴とする洗濯乾燥機。
【請求項２】
請求項１記載の洗濯乾燥機において、
前記フィルタケースは、リントを捕集する捕集部材を有することを特徴とする洗濯乾燥機。
【請求項３】
請求項２記載の洗濯乾燥機において、
捕集部材は、二つのネットフィルタを含み、前記乾燥用空気の流れの下流に配置される下流側ネットフィルタは上流側ネットフィルタより細目であることを特徴とする洗濯乾燥機。
【請求項４】
請求項３記載の洗濯乾燥機において、
前記上流側ネットフィルタは、袋状の形態を有し、前記下流側ネットフィルタは、平板状の形態を有することを特徴とする洗濯乾燥機。
【請求項５】
請求項１記載の洗濯乾燥機において、
前記フィルタケースは、前面に前面パネルを有し、
前記前面パネルに回動自在に支持される操作つまみを設け、この操作つまみと前記ロックレバーを結合したことを特徴とする洗濯乾燥機。
【請求項６】
請求項５記載の洗濯乾燥機において、
前記ロックレバーの中間部を前記操作つまみに支持し、ロックレバーの両端が前記係止部を係合離脱することを特徴とする洗濯乾燥機。
【請求項７】
請求項５記載の洗濯乾燥機において、
前記フィルタケース収納部は、前記フィルタケースが出し入れされる入口の手前両側に前記係止部を設けたことを特徴とする洗濯乾燥機。
【請求項８】
請求項７に記載された洗濯乾燥機において、
前記係止部は、前記入口の回りより外側に後退した位置に設けられたことを特徴とする洗濯乾燥機。
【請求項９】
請求項１〜８の何れかに記載された洗濯乾燥機において、
前記係止部は、前側から奥側に向かって傾斜する傾斜面と、この傾斜面の裏側に連なるほぼ垂直の係止面を有することを特徴とする洗濯乾燥機。
【請求項１０】
請求項１〜９の何れかに記載された洗濯乾燥機において、
前記フィルタケースは、前記ロックレバーが前記係止部に係合するように前記ロックレバーを付勢する付勢バネを備えることを特徴とする洗濯乾燥機。
【請求項１１】
請求項１０に記載された洗濯乾燥機において、
前記付勢バネは、前記ロックレバーに当接して前記ロックレバーを押圧するバネ部と、このバネ部と一体に連なる固定部とを有し、
前記フィルタケースは、前記付勢バネの固定部を支持するバネ支持部を有することを特徴とする洗濯乾燥機。
【請求項１２】
請求項１１に記載された洗濯乾燥機において、
前記付勢バネは、前記固定部の中央に止孔を有し、
前記フィルタケースは、バネ支持部の中央に前記止孔に嵌る止突起を有することを特徴とする洗濯乾燥機。
【請求項１３】
請求項１１に記載された洗濯乾燥機において、
前記付勢バネは、前記バネ部と前記固定部との繋がり個所のＶ字形状のピン受部を有し、
前記フィルタケースは、前記バネ支持部の近傍に前記ピン受部に挿入される止ピンを有することを特徴とする洗濯乾燥機。
【請求項１４】
請求項５記載の洗濯乾燥機において、
前面パネルは、裏面側に奥に向かって突き出る操作杆を有し、
前記フィルタケース収納部は、前記フィルタケースの脱着自在に応じて前記操作杆により作動操作が行われるフィルタケース脱着を知る検知用スイッチを備えることを特徴とする洗濯乾燥機。
【請求項１５】
請求項１４記載の洗濯乾燥機において、
前記フィルタケース収納部は、前記フィルタケースが出し入れされる入口の外周縁に鍔部を有し、
前記鍔部に前記フィルタケースの脱着に際し、前記操作杆が出入する操作杆用ガイド孔を設けたことを特徴とする洗濯乾燥機。
【請求項１６】
請求項１記載の洗濯乾燥機において、
前記フィルタケース収納部は、前記フィルタケースが出し入れされる入口を有し、
前記フィルタケースは、前側に前基枠板部を有し、
前記フィルタケースの出し入れに際し、前記入口に接離する前側シール部材を前基枠板部の外周縁に設けたことを特徴とする洗濯乾燥機。
【請求項１７】
請求項１６に記載された洗濯乾燥機において、
前記ロックレバーの先端側が前基枠板部の外周縁により外側に突き出ていることを特徴とする洗濯乾燥機。
【請求項１８】
請求項１６に記載された洗濯乾燥機において、
前記フィルタケースは、前記前基枠板部の前側に前面パネルを有し、
前記前面パネルと前記前基枠板部の間に前記ロックレバーを配置したことを特徴とする洗濯乾燥機。
【請求項１９】
請求項５に記載された洗濯乾燥機において、
前記前面パネルの裏面に前記ロックレバーを回動自在に支持する軸受部を設けたことを特徴とする洗濯乾燥機。
【請求項２０】
請求項１９に記載された洗濯乾燥機において、
前記前面パネルを挟んで表側に操作つまみ、裏側に前記ロックレバーが位置することを特徴とする洗濯乾燥機。
【請求項２１】
請求項１９に記載された洗濯乾燥機において、
前記前面パネルが前記前基枠板部に支持されていることを特徴とする洗濯乾燥機。
【請求項２２】
請求項２１に記載された洗濯乾燥機において、
前記前面パネルは、裏面に前記ロックレバー支持部を囲う取り付け枠を有し、この取り付け枠を介して前記前面パネルが前記前基枠板部に支持されることを特徴とする洗濯乾燥機。
【発明の詳細な説明】
【技術分野】
【０００１】
本発明は、洗濯から乾燥まで通して行える洗濯乾燥機に関するものである。
【背景技術】
【０００２】
この洗濯乾燥機は、乾燥用空気が除湿手段を通して循環させ、同時にその除湿手段を通された空気をヒータにより熱して温風化する。その除湿手段には除湿用の水を供給することにより、内槽内の洗濯物から湿気を奪って内槽内から出た温風を水冷方式にて除湿するものであり、比較的簡単な構成で、効率の良い除湿ができる利点を有している。
【０００３】
また、洗濯乾燥機は、乾燥用空気に含まれるリントを除去する乾燥フィルタ装置が備わる。リントが溜まるので、乾燥フィルタ装置の掃除をしながら洗濯乾燥機は使用される。
【０００４】
この種の洗濯乾燥機は、例えば、特開２００６−５５３８１号公報（特許文献１）に記載されている。
【０００５】
【特許文献１】特開２００６−５５３８１号公報
【発明の開示】
【発明が解決しようとする課題】
【０００６】
乾燥フィルタ装置は、フィルタケース収納部を有する本体ケース枠と、前記フィルタケース収納部に脱着自在に装着されるフィルタケースを有する。
【０００７】
洗濯乾燥機の乾燥運転では、フィルタケースは装着される。乾燥運転中にフィルタケースの装着が外れないように、フィルタケースはロック機構で拘束される。
【０００８】
従来のロック機構は、係合の作動が不安定であった。またロック機構の係合を離脱する操作がし難く、フィルタケースの着脱操作性が良くなかった。
【０００９】
本発明は、上記の問題に対処し、フィルタケースの着脱操作がし易い洗濯乾燥機を提供することを目的とする。
【課題を解決するための手段】
【００１０】
本発明は、洗濯水や濯ぎ水が溜まる外槽と、洗濯物を収納し、前記外槽に回転自在に内置される内槽と、前記外槽や前記内槽に流れ込み、前記内槽内の洗濯物を乾かして前記外槽から流出する乾燥用空気を流通させる乾燥用空気循環路と、前記乾燥用空気循環路に設けられ、前記外槽から流れ出て来た乾燥用空気より水分を除湿する除湿手段と、前記乾燥用空気循環路に設けられ、前記除湿手段で除湿した乾燥空気を加熱する加熱手段と、前記乾燥用空気循環路に設けられ、前記乾燥空気に含まれるリントを捕集する乾燥フィルタ装置とを備える洗濯乾燥機において、乾燥フィルタ装置は、フィルタケース収納部を有する本体ケース枠と、前記フィルタケース収納部に脱着自在に装着されるフィルタケースを含み、前記フィルタケースは、回動自在に支持されたロックレバーを有し、前記フィルタケース収納部は、前記ロックレバーの回動によりロックレバーが係合離脱する係止部を有することを特徴とする。
【発明の効果】
【００１１】
本発明によれば、フィルタケースの着脱操作性が良好なる洗濯乾燥機を提供できる。
【発明を実施するための最良の形態】
【００１２】
本発明の実施例について、図１〜図１６を引用して説明する。
【００１３】
まず、図１を引用し、洗濯乾燥機の概要について説明する。
【００１４】
洗濯乾燥機の外枠１は、洗濯水を内置する外槽２を内置する。外槽２は外枠１に防振支持される。洗浄したり、乾燥したりされる洗濯物を収納する洗濯脱水槽（内槽）３は、外槽２内に回転自在に支持される。
【００１５】
洗濯物を撹拌して洗う撹拌翼４は、内槽３に回動自在に内置される。洗濯運転時、および乾燥運転時には、撹拌翼４は正転／逆転が繰り返される。脱水運転時には、撹拌翼４は内槽３と一緒に高速回転し、内槽３内の洗濯物に含まれる水分が脱水される。
【００１６】
洗濯乾燥用駆動モータ１０は、撹拌翼４、および内槽３の回転駆動を行う。洗濯乾燥用駆動モータ１０は、ＤＣブラシレスモータを使用する。
【００１７】
外蓋５は外枠１の上部に備わるトップカバー６に開閉自在に設けられ、外蓋５を開いて内槽３内に洗濯物の出し入れを行う。
【００１８】
トップカバー６は、前側に給水ボックス７を有する。給水ボックス７は、水道水，風呂水，洗剤，ソフナー等を外槽２に供給する。給水ボックス７の落し口は、外槽２と内槽３の間に向けられている。
【００１９】
給水切替ユニット（図示せず）はトップカバー６の後部に設けられる。給水切替ユニットに連通し、水道ホースが接続される水道ホース接続口８は、トップカバー６の上部に突出するように設けられる。風呂水を吸い上げる風呂水ポンプ（図示せず）もトップカバー６の後部に内置される。
【００２０】
乾燥機構９は、内槽３内の洗濯物を乾かす乾燥用空気の循環送風や除湿を行う。
【００２１】
この乾燥機構９は大部分が乾燥用空気循環路で占められる。
【００２２】
乾燥用空気循環路は、外槽２の底部に連通するように接続される底部循環路２０，底部循環路２０から上る除湿用縦通路２１，除湿用縦通路２１から下る降下循環路２２，降下循環路２２から再び上る上昇循環路２３，上昇循環路２３から横に這う戻り循環路２４，戻り循環路２４から外槽２の上部に連通するように接続される戻り接続循環路２５を有する。
【００２３】
底部循環路２０は、蛇腹ホース２６を有する。戻り接続循環路２５も蛇腹ホース２７を有する。除湿用縦通路２１は除湿板２８（除湿手段）を内置する。除湿板２８は除湿用縦通路２１内を縦に延びるように存在する。
【００２４】
この除湿板２８に供給する風呂水や水道水で除湿用縦通路２１を上昇する乾燥用空気が冷却し、乾燥用空気中に含まれる水分を奪取する。
【００２５】
循環ファン２９（送風手段）は、降下循環路２２，上昇循環路２３がつながる下部に設けられる。この循環ファン２９の送風により、乾燥用空気循環路を通じて乾燥用空気が内槽３内を流通し、内槽３内の洗濯物を乾かす。
【００２６】
ヒータ４０（加熱手段）は、戻り循環路２４に設けられる。除湿板２８で水分の抜けた乾燥用空気は、ヒータ４０で再加熱されて内槽３を流れるので、洗濯物の水分を除去する。この水分除去が乾燥用空気の循環で繰り替えされることにより、洗濯物は良く乾燥されるようになる。
【００２７】
底部循環路２０の底は、下部連通管４１を介して洗濯水排水路４２と洗濯水循環水路
４３に連通する。洗濯水排水路４２には、排水バルブ４４が設けられる。洗濯運転時や乾燥運転時には、この排水バルブ４４は閉じて置く。洗濯水を排水する排水時や乾燥運転時には、排水バルブ４４を開いて洗濯乾燥機の外部に排水する。
【００２８】
洗濯水循環水縦水路４６は、内槽３の上側まで延び、洗濯水循環水路４３に循環ポンプ４５を介して接続される。
【００２９】
外槽２に溜まる洗濯水や濯ぎ水は、循環ポンプ４５で吸い上げられ、洗濯水循環水縦水路４６の上側の排出口から内槽３に注がれる。この循環ポンプ４５による注水が続く下で、洗濯や濯ぎが行われるので、少ない水量で良く洗濯が行われる。
【００３０】
水位センサー４７は、外槽２に溜まる洗濯水や濯ぎ水の水位を検知する。
【００３１】
底部循環路２０の側部に連通するエアートラップ４８が設けられ、このエアートラップ４８と水位センサー４７がエアーチューブ４９で連通するようにつながる。外槽２内の水位変動を水位センサー４７が感じて水位検知が行われる。
【００３２】
次に乾燥フィルタ装置について、図２〜図１６に沿って説明する。
【００３３】
乾燥フィルタ装置７０は、図２に示すように、除湿用縦通路２１の上端に備わる。この乾燥フィルタ装置７０を介して除湿用縦通路２１と降下循環路２２は連通している。除湿用縦通路２１を流れる乾燥用空気に含まれるリントは乾燥フィルタ装置７０で除去される。
【００３４】
除湿用縦通路２１の下流側になる降下循環路２２には、リントが除去された乾燥用空気が流通する。
【００３５】
乾燥フィルタ装置７０は、図３，図４，図５に示すように、フィルタケース収納部７１を有する本体ケース枠７２と、フィルタケース収納部７１に脱着自在に装着されるフィルタケース７３を有する。
【００３６】
フィルタケース収納部７１は、図９に示すように、内部にフィルタケース７３が収まる空洞７４を有し、前側にフィルタケース７３が出入する入口７５を有する。
【００３７】
フィルタケース７３は、図６，図７，図８に示すように、フィルタフレーム７６，前面パネル７７を有する。フィルタフレーム７６は、前側に前基枠板部７８を有する。この前基枠板部７８に前面パネル７７が取り付けられる。
【００３８】
フィルタフレーム７６は、図３，図７，図８に示すように、捕集部材が設けられる。捕集部材は、上流側ネットフィルタ９０と下流側ネットフィルタ９１を含む。上流側ネットフィルタ９０は袋状の形態を有し、下流側ネットフィルタ９１は平板状の形態を有する。
【００３９】
下流側ネットフィルタ９１は上流側ネットフィルタ９０より細目である。大部分のリントは袋状の上流側ネットフィルタ９０に捕集される。上流側ネットフィルタ９０を抜けた細塵が細目の下流側ネットフィルタ９１に捕集される。
【００４０】
捕集部材の掃除は、フィルタフレーム７６をフィルタケース収納部７１から外して行う。大部分のリントは、上流側ネットフィルタ９０に捕集されるので袋状にした。下流側ネットフィルタ９１に捕集されるリントは少ないので、平板状にした。二段のネットフィルタで捕集されるので、捕集部材を通過するリントが殆どない。
【００４１】
前面パネル７７は、図３〜図７に示すように、前側（表側）に操作つまみ９２が、裏側にロックレバー９３が備えられる。また、前面パネル７７の裏面には取り付け枠９４が設けられる。取り付け枠９４は前面パネル７７と一体に形成される。
【００４２】
取り付け枠９４は矩形状を有し、先端側に係合爪９５が設けられている。この係合爪
９５をフィルタフレーム７６の前基枠板部７８に設けた係止孔９６に係止する。これにより、前面パネル７７は取り付け枠９４を介してフィルタフレーム７６に固定される。
【００４３】
この前面パネル７７の取り付け固定により、フィルタケース７３は出来上がる。もちろん、前面パネル７７には、予め、操作つまみ９２やロックレバー９３を取り付けて置く。
【００４４】
前面パネル７７の裏面には、図３，図４，図７に示すように、ロックレバー９３を回動自在に支持する軸受部９７が設けられる。軸受部９７は取り付け枠９４の中央に位置する。この軸受部９７に、図３，図４，図６に示すように、ロックレバー９３の中間に設けた回動支持部９８が回動自在に嵌合支持される。
【００４５】
操作つまみ９２は、図３，図４，図７に示すように、中央に支持軸１１０と、支持軸
１１０を挟む両側に係止腕１１１を有する。操作つまみ９２の支持軸１１０と係止腕111は、前面パネル７７の前側から挿入される。支持軸１１０は挿通孔１１２に、係止腕111は、溝孔１１３に挿入される。
【００４６】
更に、支持軸１１０はロックレバー９３の回動支持部９８の中心に存在する嵌合孔114にされ、係止腕１１１はロックレバー９３の回動支持部９８の近傍に設けた係止受孔に挿入係止される。
【００４７】
この支持軸１１０の挿入および係止腕１１１の挿入係止により、操作つまみ９２とロックレバー９３は前面パネル７７を挟んで結合され、かつ前面パネル７７の軸受部９７に回動自在に支持される。
【００４８】
ロックレバー９３は操作つまみ９２に結合されているので、操作つまみ９２を回わすことにより、ロックレバー９３は回動する。この回動により、ロックレバー９３は後述する係止部に係合離脱する。
【００４９】
付勢バネ１１５は、図６，図７，図１３に示すように、ロックレバー９３が係止部に係合されるように付勢する。
【００５０】
この付勢バネ１１５は、図１０，図１１に示すように、バネ部１１６と、このバネ部
１１６と一体に連なる固定部１１７とを有する。バネ部１１６は半円状の当接部１１８を有する。この当接部１１８は、図１３に示すように、ロックレバー９３に当接し、ロックレバー９３を押圧する。
【００５１】
ロックレバー９３は、図１３に示すＭ方向に付勢バネ１１５により付勢され、ロックレバー９３の係合が保たれる。
【００５２】
付勢バネ１１５は、図１３に示すように、フィルタケース７３を構成する前面パネル
７７に設けたバネ支持部１３０に支持される。
【００５３】
図１２は、バネ支持部１３０に付勢バネ１１５が取り付けられる前の状態を示している。バネ支持部１３０は、中央に止突起１３１を有する。付勢バネ１１５の固定部１１７は止孔１３２を有する。バネ支持部１３０に付勢バネ１１５の固定部１１７を嵌め込むことにより、止突起１３１が止孔１３２に嵌る。
【００５４】
付勢バネ１１５は、図１０，図１１に示すように、バネ部１１６と固定部１１７との繋がり個所のＶ字形状のピン受部１３３を有する。
【００５５】
止ピン１３４は、図１２，図１３に示すように、バネ支持部１３０の近傍に設けられている。
【００５６】
付勢バネ１１５がバネ支持部１３０に取り付けられると、止ピン１３４は、付勢バネ
１１５のピン受部１３３に嵌る。
【００５７】
このように付勢バネ１１５の固定部１１７をバネ支持部１３０に嵌め込むことにより、止突起１３１が止孔１３２に嵌り、止ピン１３４は、付勢バネ１１５のピン受部１３３に嵌る。このため、付勢バネ１１５はバネ支持部１３０に確りした固定になる。
【００５８】
また、止ピン１３４がバネ部１１６の付け根を支持するようになるので、付勢バネ115の動作が安定し、ロックレバー９３の係合が確実に行われる。
【００５９】
係止部１９０は、図９，図１４〜図１６に示すように、ロックレバー９３の先端側が係合離脱する。ロックレバー９３の係合離脱は、操作つまみ９２の回転操作により行われる。
【００６０】
係止部１９０にロックレバー９３を係合することにより、フィルタケース収納部７１に装着されたフィルタケース７３は外れることなく確実に固定保持される。ロックレバー
９３を回して係止部１９０からロックレバー９３を離脱させることにより、フィルタケース７３はフィルタケース収納部７１に引き出すことができる。
【００６１】
このようにロックレバー９３の回動により、ロックレバー９３は係止部１９０に確実に係合離脱するので、フィルタケース収納部７１に出し入れするフィルタケース７３の着脱操作がし易い。
【００６２】
係止部１９０は、図９，図１４〜図１６に示すように、フィルタケース７３が出し入れされるフィルタケース収納部７１の入口７５の手前両側に設けられる。しかも、係止部
１９０は入口７５の回りよりも外側に後退した位置に設けられる。
【００６３】
係止部１９０は、図９に示すように、前側から奥側に向かって傾斜する傾斜面１９１と、この傾斜面１９１の裏側に連なるほぼ垂直の係止面１９２を有する。右側の係止部190は、傾斜面１９１が上り勾配でなっている。逆に右側の係止部１９０は、傾斜面１９１が下り勾配でなっている。
【００６４】
この係止部１９０には、前述したように、フィルタケース収納部７１にフィルタケース７３が出し入れされる際にロックレバー９３の両端側が係合離脱される。フィルタケースを入れる際に、ロックレバー９３が傾斜面１９１に押し付けられる。
【００６５】
それに伴い、ロックレバー９３は付勢バネ１１５に抗して左回りにまわる。そして、傾斜面１９１の先端を過ぎると、付勢バネ１１５の力に付勢されて逆方向（右回り）に回り、係止面１９２にロックレバー９３が係合される。
【００６６】
このように、フィルタケース７３の装着はフィルタケース収納部７１にフィルタケース７３に押し込むことにより容易に行われ、ロックレバー９３の係止面１９２への係合により装着された状態が確実に保たれる。
【００６７】
フィルタケース７３をフィルタケース収納部７１から外す際は、操作つまみ９２を左方向に回すことにより、ロックレバー９３が係止面１９２から離脱する。操作つまみ９２を掴んで引くことによるフィルタケース７３はフィルタケース収納部７１から抜けるので、容易に外すことができる。
【００６８】
なお、図１４，図１５は、フィルタケース７３がフィルタケース収納部７１に装着されてロックレバー９３が係止部１９０の係止面１９２に係合されている状態を示す。図１６は、操作つまみ９２を回してロックレバー９３を係止面１９２から離脱して状態を示している。
【００６９】
操作杆１９４は、図６，図７，図１４〜図１６に示すように、前面パネル７７の裏面側に奥に向かって突き出るように設けられる。フィルタケース収納部７１には、フィルタケース脱着を知る検知用スイッチ（図示せず）を備える。
【００７０】
検知用スイッチ（図示せず）は、フィルタケース７３のフィルタケース収納部７１への脱着に応じて操作杆１９４により作動操作が行われる。この操作杆１９４による作動操作によりフィルタケース７３の脱着を検知用スイッチで知ることができる。
【００７１】
鍔部１９５は、図９，図１４〜図１６に示すように、フィルタケース収納部７１の入口７５の外周縁に設けられる。鍔部１９５には、操作杆１９４が出入する操作杆用ガイド孔１９６を設ける。
【００７２】
操作杆１９４を操作杆用ガイド孔１９６に通さなければ、検知用スイッチは作動しない。このため、仮にフィルタケース７３が誤った向きで装着されても検知用スイッチは作動しないので、乾燥運転は行われず、誤動作が回避される。
【００７３】
前基枠板部７８は、図３〜図５に示すように、外周縁に前側シール部材１９７を備える。前側シール部材１９７は、フィルタケース７３をフィルタケース収納部７１に出し入れにする際に、入口７５の内周面ないし内周面寄りに接離する。
【００７４】
前側シール部材１９７により、フィルタケース７３の内側と外側は気密が保てるので、乾燥用空気循環路を流れる乾燥用空気が漏れない。
【００７５】
ロックレバー９３の先端側は、図１４〜図１６に示すように、入口７５の内周縁や前基枠板部７８の外周縁よりも外側に突き出ている。前面パネル７７の取り付け枠９４は、両側にロックレバー用切り欠き１９８を有する。ロックレバー９３の先端側は、ロックレバー用切り欠き１９８に収まり、この範囲内で回動する。
【００７６】
係止部１９０は、フィルタケース７３の出し入れを考慮して入口７５の回りよりも外側に後退した位置に設けた。この位置にある係止部１９０に係合離脱させるために、ロックレバー９３の先端側を入口７５の内周縁や前基枠板部７８の外周縁よりも外側に突き出す構造にした。
【００７７】
もしも、逆に係止部１９０が入口７５内に突き出る構造にすると、出し入れされるフィルタケース７３の両側に係止部１９０を避ける前後に延びる逃げ溝を設ける必要がある。
【００７８】
このような構造にすると、フィルタケース７３が複雑な構造になる。これに加え、リントを捕集する捕集部材の配置が難しくなる。
【００７９】
このような事情を考慮し、係止部１９０を入口７５の回りよりも外側に後退した位置に設け、ロックレバー９３の先端側を入口７５の内周縁や前基枠板部７８の外周縁よりも外側に突き出す構造を創作したものである。
【図面の簡単な説明】
【００８０】
【図１】本発明の実施例に係わるもので、洗濯乾燥機の概略を示す図である。
【図２】本発明の実施例に係わるもので、乾燥用空気循環路を示す図である。
【図３】本発明の実施例に係わるもので、乾燥フィルタ装置の縦断面を示す図である。
【図４】本発明の実施例に係わるもので、乾燥フィルタ装置の縦断面を示す斜視図である。
【図５】本発明の実施例に係わるもので、乾燥フィルタ装置のフィルタケース収納部よりフィルタケースを抜き出した状態を示す斜視図である。
【図６】本発明の実施例に係わるもので、フィルタケースを分解して前側から見た状態を示す斜視図である。
【図７】本発明の実施例に係わるもので、フィルタケースを分解して後側から見た状態を示す斜視図である
【図８】本発明の実施例に係わるもので、フィルタケースを逆さにして後側から見た状態を示す斜視図である。
【図９】本発明の実施例に係わるもので、フィルタケース収納部を前側から見た斜視図である。
【図１０】本発明の実施例に係わるもので、ロックレバーの付勢バネを示す斜視図である。
【図１１】本発明の実施例に係わるもので、ロックレバーの付勢バネを示す正面図である。
【図１２】本発明の実施例に係わるもので、図６をＰ−Ｐ方向から見た付勢バネを取り付ける前の状態を示す正面図である。
【図１３】本発明の実施例に係わるもので、図６をＰ−Ｐ方向から見た付勢バネを取り付けた後の状態を示す正面図である。
【図１４】本発明の実施例に係わるもので、フィルタケース収納部に収納されたフィルタケースを前面パネルが除かれて表された斜視図である。
【図１５】本発明の実施例に係わるもので、フィルタケースのロックレバーが拘束されている状態を、前面パネルを除いて表した正面図である。
【図１６】本発明の実施例に係わるもので、フィルタケースのロックレバーが解除されている状態を、前面パネルを除いて表した正面図である。
【符号の説明】
【００８１】
２…外槽、３…内槽、２１…除湿用縦通路、２８…除湿板（除湿手段）、４０…ヒータ（加熱手段）、７０…乾燥フィルタ装置、７１…フィルタケース収納部、７２…本体ケース枠、７３…フィルタケース、９３…ロックレバー、１９０…係止部。
【図１】
2008012119.tif 000003
【図２】
2008012119.tif 000004
【図３】
2008012119.tif 000005
【図４】
2008012119.tif 000006
【図５】
2008012119.tif 000007
【図６】
2008012119.tif 000008
【図７】
2008012119.tif 000009
【図８】
2008012119.tif 000010
【図９】
2008012119.tif 000011
【図１０】
2008012119.tif 000012
【図１１】
2008012119.tif 000013
【図１２】
2008012119.tif 000014
【図１３】
2008012119.tif 000015
【図１４】
2008012119.tif 000016
【図１５】
2008012119.tif 000017
【図１６】
2008012119.tif 000018